(57)【要約】【課題】  隣接する複数個の接続部材を根太上に簡単に取付けることができ、しかも接続部材を長さが変えられるように組合わせることで、横幅の異なるデッキ材を簡単に固定することができるデッキ構造を提供する。【解決手段】デッキ材３を固定する接続部材２の基板４に雌形凹部５と雄形突起６とを基板４の長さ方向に沿って連結することで、連結される各接続部材２の長さをデッキ材３の横幅に応じて可変できるようにして、長短二種類の接続部材２によって数種類の横幅寸法のデッキ材３を取付けられるようにする。【選択図】  図１
2006177036.tif 000002
【特許請求の範囲】
【請求項１】
平行に配列されて床面を構成する複数のデッキ材と、これらのデッキ材の長さ方向と直交する向きに互いに連結して配置され、その上面にデッキ材を配列固定するための複数個の接続部材とからなり、
接続部材は、デッキ材の横幅を載置するための長さをもつ基板と、この基板内に凹設された雌形凹部と、基板の先端側に突設された雄形突起と、雌形凹部と雄形突起との間の基板上に突設されたデッキ材側縁の凹溝に係合する係止辺とを備えており、
雌形凹部と雄形突起とは、一方の接続部材の雌形凹部に対して隣接する接続部材の雄形突起を、基板の長さ方向に沿って連結することで、各接続部材の連結される長さをデッキ材の横幅に応じて可変できるように連結されており、
デッキ材の横幅寸法に応じて、複数個の接続部材を、雄形突起と雌形凹部との間隔を調整して連結配列し、連結された接続部材の基板上に突出する係止辺の間に、デッキ材の両側縁の凹溝を係合して、デッキ材を配列固定するデッキ構造。
【請求項２】
接続部材の基板に設けられる雌形凹部は、基板の長さ方向に沿った内側面に複数の異なる係合位置で、隣接する他の接続部材の雄形突起を嵌合係止できるような複数個の係止段部を有していて、雄形突起は、隣接する他の接続部材の雌形凹部の各係止段部に係合し得るような長さを有している請求項１のデッキ構造。
【請求項３】
接続部材の基板先端側に突設される雄形突起は、上面が基板の表面と同じ高さであって、肉厚が基板の肉厚よりも薄く形成されていて、突起の長さ方向に沿って複数個の係止孔が間隔をおいて開設されており、基板に設けられる雌形凹部の下面の一端には雌形凹部の補強辺が設けられていて、この補強辺に、隣接する他の接続部材における雄形突起の係止孔のうちのいずれかと係合する、係止突起が設けられている請求項１又は２のデッキ構造。
【請求項４】
デッキ材の側縁の凹溝と係合する基板上の係止辺が、雌形凹部と雄形突起との間における基板の上面両側部分に、基板の長さ方向と直交する向きで、互いに間隔をおいて突設された一対のウェブと、これらのウェブの上端に設けられた両側に案内傾斜面を有するフランジとから構成されている請求項１のデッキ構造。
【請求項５】
接続部材の基板上に設けられる一対の係止辺間に、基板上面の肉厚を薄くした固定部を設け、この固定部に基板を根太上に固定するためのネジ止め孔を有している請求項１のデッキ構造。
【請求項６】
互いに連結される複数個の接続部材として、基準となる長さの基板からなる基準形接続部材を相互に連結する場合と、基準形接続部材と、この基準形接続部材よりも長さの大きい長形接続部材とを相互に連結する場合とからなる請求項１又は２のデッキ構造。
【発明の詳細な説明】
【技術分野】
【０００１】
本発明は、建築物のテラスやバルコニーなどに用いられるデッキ構造、特に、建築廃材などの木粉とプラスチックとの混合材を原料として成形されるデッキ材を用いたデッキ構造の改良に関するものである。
【背景技術】
【０００２】
従来よりこの種のデッキ構造としては、木粉とプラスチックとを原料とするデッキ材を用いる方式が知られているが、この種のデッキ材は、構成部材の木質成分が気温の寒暖や湿度による影響を受けて、収縮、膨張、膨潤し易いという性質があり、デッキ材が膨張、膨潤により変形して互いに密着した場合には、排水性が阻害されるという問題が生ずるので、デッキ材は予め施工の時点で相互に密着させずに、僅かながら隙間が保持できるように取付け施工される。
【０００３】
このような事情から、この種のデッキ構造の基本形としては、根太の上面に、上端に水平方向に延びるフランジを設けた固定金具をネジ止めしておき、一方、デッキ材は、両側面に長さ方向に沿った凹溝を設けておいて、互いに隣接する左右のデッキ材の凹溝内へ前記固定金具のフランジの両側縁が係止されるように装着して、固定金具を介してデッキ材を根太に接続する構造が知られている。
【０００４】
また、別のデッキ構造としては、デッキ材の横幅を載置できる長さをもった長方形の台座の両端上方に、それぞれデッキ材の両側縁に係合する保持部を設けるとともに、両端下方には、互いに隣接する台座を長さ方向に連結するための雄形係合部と雌形係合部とを設けて、複数個の台座を隣接する雄形係合部と雌形係合部とが係合するようにして連結配置する構造が知られている。
【特許文献１】特開２００２−２０６２７６号公報
【特許文献２】特開２００１−３１７１２１号公報
【特許文献３】特開２００４−３６２７８号公報
【発明の開示】
【発明が解決しようとする課題】
【０００５】
特許文献１及び特許文献２に示されるデッキ構造は、いずれも、両側にデッキ材の両側面の凹溝内へ係止される係止辺を設けた固定金具を、一個ずつ根太上にネジによって固定し、この固定金具の両側に突出させた係止辺をデッキ材両側面の凹溝内へ嵌合してデッキ材を係止する構造であるため、固定金具を一個ずつ指先で保持しながら根太上にネジ止めしなければならず、固定金具の取付け位置が狂ったり、金具やネジを落したりするなど、金具の取付け作業に手間がかかって非能率であるという問題を有している。
【０００６】
一方、特許文献３に示されるデッキ構造では、複数個の台座を隣接する雄形係合部と雌形係合部とが係合されるように連結配置して、それぞれの台座上にデッキ材を嵌め込んで、台座の両端に設けられた保持部によりデッキ材の両側縁に係合するので、複数個の台座を、雄形係合部と雌形係合部とにより根太上に組み立て配置する作業や、台座上にデッキ材を装着する作業が、特許文献１及び特許文献２の固定金具を用いる構造に比較して、はるかに能率化されるという利点を有している。
【０００７】
しかし、この特許文献３のデッキ構造では、台座の両端にデッキ材の両側縁を固定する保持部が設けられているので、台座の長さによって載置されるデッキ材の横幅寸法が決まってしまい、各種の横幅寸法のデッキ材を載置するためには、それぞれのデッキ材の横幅寸法に対応した長さをもつ台座を、数種類用意しておいて、デッキ材の横幅寸法に応じて長さの異なる台座を使用しなければならないという問題を有している。
【課題を解決するための手段】
【０００８】
本発明は、従来におけるこの種のデッキ構造の問題点を解消するため、デッキ材を配列固定するための接続部材の基板に設けられる雌形凹部と雄形突起とを、基板の長さ方向に沿って連結することで、連結される各接続部材の長さをデッキ材の横幅に応じて可変できるようにして、長短二種類の接続部材によって数種類の横幅寸法のデッキ材を取付けられるようにしたデッキ構造の提供を目的とするものである。
【０００９】
本発明はそのための具体的手段として、平行に配列されて床面を構成する複数のデッキ材と、これらのデッキ材の長さ方向と直交する向きに互いに連結して配置され、その上面にデッキ材を配列固定するための複数個の接続部材とからなっていて、接続部材は、デッキ材の横幅を載置するための長さをもつ基板と、この基板内に凹設された雌形凹部と、基板の先端側に突設された雄形突起と、雌形凹部と雄形突起との間の基板上に突設されたデッキ材側縁の凹溝に係合する係止辺とを備えており、雌形凹部と雄形突起とは、一方の接続部材の雌形凹部に対して隣接する接続部材の雄形突起を、基板の長さ方向に沿って連結することで、各接続部材の連結される長さをデッキ材の横幅に応じて可変できるように連結されており、デッキ材の横幅寸法に応じて、複数個の接続部材を、雄形突起と雌形凹部との間隔を調整して連結配列し、連結された接続部材の基板上に突出する係止辺の間に、デッキ材の両側縁の凹溝を係合して、デッキ材を配列固定することを特徴としている。
【００１０】
接続部材の基板に設けられる雌形凹部は、基板の長さ方向に沿った内側面に複数の異なる係合位置で、隣接する他の接続部材の雄形突起を嵌合係止できるような複数個の係止段部を有していて、雄形突起は、隣接する他の接続部材の雌形凹部の各係止段部に係合し得るような長さを有していることが好ましい。
【００１１】
接続部材の基板先端側に突設される雄形突起は、上面が基板の表面と同じ高さであって、肉厚が基板の肉厚よりも薄く形成されていて、突起の長さ方向に沿って複数個の係止孔が間隔をおいて開設されており、基板に設けられる雌形凹部の下面の一端には雌形凹部の補強辺が設けられていて、この補強辺に、隣接する他の接続部材における雄形突起の係止孔のうちのいずれかと係合する、係止突起が設けられている
【００１２】
デッキ材の側縁の凹溝と係合する基板上の係止辺が、雌形凹部と雄形突起との間における基板の上面両側部分に、基板の長さ方向と直交する向きで、互いに間隔をおいて突設された一対のウェブと、これらのウェブの上端に設けられた両側に案内傾斜面を有するフランジとから構成することが好ましい。
【００１３】
接続部材を根太上に固定する手段としては、基板上に設けられる一対の係止辺間に、基板上面の肉厚を薄くした固定部を設け、この固定部に基板を根太上に固定するためのネジ止め孔を有しているような構造とすることが好ましい。
【００１４】
また，複数個の接続部材を互いに連結する態様としては、基準となる長さの基板からなる基準形接続部材を相互に連結してもよく、また、基準形接続部材と、この基準形接続部材よりも長さの大きい長形接続部材とを相互に連結するようにしてもよい。
【発明の効果】
【００１５】
本発明のデッキ構造は、基板内に雌形凹部、基板の先端に雄形突起を設けて、一方の接続部材の雌形凹部に対して隣接する接続部材の雄形突起を、基板の長さ方向に沿って連結する構造としたので、雌形凹部に係合される雄形突起の係止位置を複数箇所に可変調節することができ、その結果、互いに連結される一対の接続部材の上にそれぞれ横幅の異なる複数種類のデッキ材を係合固定することができる。
【００１６】
また、連結される一対の接続部材は、互いに同じ長さからなる基準形の基板を連結した場合でも、雌形凹部と雄形突起との係合位置を変えることで、その上に横幅の異なる複数のデッキ材を固定することができるが、互いに連結される一対の接続部材のうち、いずれか一方の接続部材の基板の長さを、基準となる他方の接続部材の基板よりも長くしておくことで、雌形凹部と雄形突起との係合される長さをさらに可変することができ、別の大きな横幅のデッキ材を係合固定することができる。
【００１７】
また、このデッキ材構造では、接続部材を順次連結したのちに、それぞれのデッキ材を、連結された一対の接続部材の継ぎ目上に配列した状態で、両方の接続部材における係止辺の間に上から落とし込めばよいので、デッキ材の取付け施工が簡単で能率的に行えるとともに、各デッキ材が接続部材の継ぎ目上で配列されることにより、デッキ材を安定よく配列固定することができる。
【発明を実施するための最良の形態】
【００１８】
本発明を実施するに際しては、デッキ材を固定するための接続部材として、２種類の、基準となる長さの基板と、この基準形の基板よりも長さの大きい基板とを互いに連結させることで、横幅の短いデッキ材から横幅の広いデッキ材まで複数種類のデッキ材を係合固定できるような構造とすることが好ましい。
【実施例】
【００１９】
次に、本発明に係るデッキ構造を図面に示す実施例について説明すると、このデッキ構造は、図１に示すように、根太１の上面に根太１の長さ方向に沿って配置固定される複数個の接続部材２Ａ、２Ｂと、これらの接続部材２Ａ、２Ｂの上面に該接続部材の長さ方向と直交する向きに平行に配列されて、床面を構成する複数のデッキ材３とから基本的に構成されている。
【００２０】
図２は、このデッキ構造に使用される基準となる接続部材２Ａの形状を示しており、この基準形接続部材２Ａは、デッキ材３の横幅を載置するための長さをもつ基板４と、この基板４内に凹設された雌形凹部５と、基板４の先端側に突設された雄形突起６と、雌形凹部５と雄形突起６との間の基板４上に突設されたデッキ材３の側縁の凹溝７に係合するための係止辺８とを備えている。
【００２１】
本発明のデッキ構造では、図２に示した基準形接続部材２Ａを相互に連結しただけでも、これらの接続部材２Ａ、２Ａ間に横幅寸法の異なる複数種類のデッキ材３を係合固定することができるが、図３に示したように、基本的な形状は基準形接続部材２Ａと変わらないが、基板４の長さを前記の基準形接続部材２Ａに比較して２０乃至３０％増大した長形接続部材２Ｂを、基準形接続部材２Ａと連結することによって、さらに別の横幅寸法の異なる複数種類のデッキ材３を係合固定することができる。
【００２２】
この長形接続部材２Ｂは、基準形接続部材２Ａよりも基板４の長さが大きいことが相違しており、基板４内に雌形凹部５が凹設されていること、また、基板４の先端側に雄形突起６が突設されていること、さらに、雌形凹部５と雄形突起６との間の基板４上に、デッキ材３の側縁の凹溝７に係合するための係止辺８が突起されている構造は基準形接続部材２Ａと変わらない。
【００２３】
図１に示すように、基板形接続部材２Ａと長形接続部材２Ｂとは、基準形接続部材２Ａの基板４に設けられた雌形凹部５に、隣接する長形接続部材２Ｂの雄形突起６が、基板４の長さ方向に沿って連結されるようになっており、雄形突起６が雌形凹部５のどの位置に係合されるかによって、それぞれの接続部材２Ａ、２Ｂの連結される長さを、取付けるデッキ材３の横幅Ｗに応じて可変できるように構成されいる。
【００２４】
そのため基準形接続部材２Ａの基板４に設けられる雌形凹部５は、基板４の長さ方向に沿って、隣接する長形接続部材２Ｂの雄形突起６を嵌合できるような長さを有していて、この雌形凹部５の内側面には、隣接する長形接続部材２Ｂにおける雄形突起６の先端突起６ａを、それぞれ異なる位置で係合できるような複数個の係止段部１０ａ、１０ｂ、１０ｃが設けられている。一方、基準形接続部材２Ａの雄形突起６は、図示しない隣接する接続部材の雌形凹部５内へ嵌合されるような長さを有している。
【００２５】
接続部材２Ａ、２Ｂの基板先端側に突設される雄形突起６は、上面が基板４の表面と同じ高さであって、肉厚が基板４の肉厚の半分程度に薄く形成されていて、突起の長さ方向に沿って複数個の係止孔１１が間隔をおいて開設されている。また、基板４に設けられる雌形凹部５の下面の一端には、隣接する接続部材２Ｂにおける雄形突起６の下面を支える雌形凹部補強辺１２が設けられていて、この補強辺１２には、隣接する接続部材２Ｂにおける雄形突起６の係止孔１１のうちのいずれか一個と係合する係止突起１３が設けられている。
【００２６】
さらに、前記のように、それぞれの基板４の雌形凹部５と雄形突起６との間の上面両側部分には、デッキ材３の側縁の凹溝７と係合する一対の係止辺８が、基板４の長さ方向と直交する向きに互いに間隔をおいて突設されている。これらの係止辺８は、一対のウェブ９ａと、これらのウェブ９ａの上端に設けられた両側に案内傾斜面９ｃを有するフランジ９ｂとから構成されていて、図１のように、基準形接続部材２Ａと隣接する長形接続部材２Ｂとが連結されることによって、一方の接続部材２Ａにおける係止辺８と、隣接する接続部材２Ｂにおける係止辺８との間に前記デッキ材３の側縁の凹溝７が係合されるように構成されている。
【００２７】
なお、接続部材２Ａ及び２Ｂは、いずれも基板４上に設けられる一対の係止辺８、８の間に、基板４の上面の肉厚を薄くした固定部１４を設けて、この固定部１４に基板４を根太１上に固定するためのネジ止め孔が設けられていて、接続部材２Ａ及び２Ｂが根太１上面の正しい位置に配置された時点で、このネジ止め孔にネジ１５を挿着することで固定される。
【００２８】
なお、デッキ材３は、木材、プラスチックなどからなるもの、また、廃材を利用した木粉とプラスチックとを混合した加工性、耐久性に優れた合成木材などから構成されており、両側面の長さ方向に沿った中央位置にそれぞれ板厚の略３分の１程度の幅の凹溝７が設けられていて、互いに連結された接続部材２Ａ、２Ｂにおける係止辺８，８の間に、係止辺８，８の間隔に見合った横幅寸法のデッキ材３が係合固定される。
【００２９】
次に、基準形接続部材２Ａと長形接続部材２Ｂの２種類の接続部材を互いに連結して、５種類の横幅寸法の異なるデッキ材３を係合固定する連結態様を説明する。図４は、基準接続部材２Ａを先頭にして長形接続部材２Ｂを後方に配列する態様で、長形接続部材２Ｂにおける雄形突起６の先端突起６ａを、基準形接続部材２Ａの雌形凹部５における最も奥寄りの係止段部１０ａに係止した形状を示している。この場合には、基準形接続部材２Ａの係止辺８と長形接続部材２Ｂの係止辺８との間に、最も横幅の短いデッキ材３Ａを係合する間隔が設けられる。
【００３０】
図５は、同じく基準接続部材２Ａを先頭にして長形接続部材２Ｂを後方に配列する態様で、長形接続部材２Ｂにおける雄形突起６の先端突起６ａを、基準形接続部材２Ｂの雌形凹部５における中間部の係止段部１０ｂに係止した形状を示している。この場合には、基準形接続部材２Ａの係止辺８と長形接続部材２Ｂの係止辺８との間に、前記デッキ材３Ａよりも横幅の広いデッキ材３Ｂを係合できる間隔が設けられる。
【００３１】
図６は、同じく基準形接続部材２Ａを先頭にして長形接続部材２Ｂを後方に配列する態様で、長形接続部材２Ｂにおける雄形突起６の先端突起６ａを、基準形接続部材２Ｂの雌形凹部５における最も外側の係止段部１０ｃに係止した形状を示している。この場合には、基準形接続部材２Ａの係止辺８と長形接続部材２Ｂの係止辺８との間に、前記デッキ材３Ｂよりも横幅の広いデッキ材３Ｃを係合できる間隔が設けられる。
【００３２】
図７は、長形接続部材２Ｂを先頭にして基準形接続部材２Ａを後方に配列する態様で、基準形接続部材２Ａにおける雄形突起６の先端突起６ａを、長形接続部材２Ｂの雌形凹部５における最も奥寄りの係止段部１０ａに係止した形状を示している。この場合には、長形接続部材２Ｂの係止辺８と基準形接続部材２Ａの係止辺８との間に、前記デッキ材３Ｃよりも横幅の広いデッキ材３Ｄを係合できる間隔が設けられる。
【００３３】
次に、図８は、長形接続部材２Ｂを先頭にして基準形接続部材２Ａを後方に配列する態様で、基準形接続部材２Ａにおける雄形突起６の先端突起６ａを、長形接続部材２Ｂの雌形凹部５における外側の係止段部１０ｂに係止した形状を示している。この場合には、長形接続部材２Ｂの係止辺８と基準形接続部材２Ａの係止辺８との間に、前記デッキ材３Ｄよりも横幅の広いデッキ材３Ｅを係合できる間隔が設けられる。
【００３４】
デッキ材３を接続部材２Ａ及び２Ｂの両係止辺８，８に係合する際には、図９ａに示すように、それぞれの間隔に設定された係止辺８，８のフランジ９ｂ上に、対応する横幅のデッキ材３の両側面下縁部を正しく載置して、この状態でデッキ材３の中央部を上方から拳で叩くように押し込む。すると、係止辺８，８のフランジ９ｂの両側には案内傾斜面９ｃが設けられていて、デッキ材３の両側面下縁部が上方から係止辺８，８の間に押し込まれることで、ウエブ９ａが両側へ拡開し、次の瞬間、図９ｂのように、フランジ９ａがデッキ材３の凹溝７内へ係合して、デッキ材３が固定される。
【００３５】
なお、接続部材２の上にデッキ材３を固定する際には、図１０のように、根太上に多数の接続部材２を連結配列してから、これらの各接続部材２の継ぎ目上にデッキ材３を配列して、一対の接続部材２，２における係止辺８，８によって各デッキ材３の両側を固定する。
【産業上の利用可能性】
【００３６】
この発明のデッキ構造では、隣接する複数個の接続部材の基板を、長さ方向に連結される雄形突起と雌形凹部とによって、複数個の長さ位置が得られるように連結される構造としたので、横幅の異なるデッキ材を取付けることができるとともに、各接続部材を根太上に取付ける作業が簡単で、しかも各接続部材が取付けられた後のデッキ材の取付けも簡単に行えるので、従来のこの種のデッキ構造に比較してはるかに経済的で、利用可能性の高いものである。
【図面の簡単な説明】
【００３７】
【図１】本発明に係るデッキ構造の構成を示す斜視図。
【図２】このデッキ材構造に使用される基準形接続部材の構造を示す斜視図。
【図３】このデッキ材構造に使用される長形接続部材の構造を示す斜視図。
【図４】横幅の小さいデッキ材を固定するための接続部材の連結態様を示す平面図。
【図５】図４のデッキ材よりも横幅の大きいデッキ材を固定する接続部材の連結態様を示す平面図。
【図６】図５のデッキ材よりも横幅の大きいデッキ材を固定する接続部材の連結態様を示す平面図。
【図７】図６のデッキ材よりも横幅の大きいデッキ材を固定する接続部材の連結態様を示す平面図。
【図８】図７のデッキ材よりも横幅の大きいデッキ材を固定する接続部材の連結態様を示す平面図。
【図９】ａおよびｂは、デッキ材を接続部材の係止辺に係合する工程を示す断面図。
【図１０】連結された接続部材の上に多数のデッキ材が配列固定された状態の平面図。
【符号の説明】
【００３８】
１：根太、
２：接続部材、
２Ａ：基準形接続部材、
２Ｂ：長形接続部材、
３：デッキ材、
４：基板、
５：雌形凹部、
６：雄形突起、
７：デッキ材凹溝、
８：係止辺、
９ａ：ウエブ、
９ｂ：フランジ、
９ｃ：案内傾斜面、
１０ａ，１０ｂ、１０ｃ：係止段部、
１１：係止孔、
１２：補強辺、
１３：係止突起、
１４：固定部、
１５：ネジ
【図１】
2006177036.tif 000003
【図２】
2006177036.tif 000004
【図３】
2006177036.tif 000005
【図４】
2006177036.tif 000006
【図５】
2006177036.tif 000007
【図６】
2006177036.tif 000008
【図７】
2006177036.tif 000009
【図８】
2006177036.tif 000010
【図９】
2006177036.tif 000011
【図１０】
2006177036.tif 000012